(57)【要約】【課題】  接続された情報端末の音声認識機能を適切に利用することができる電子装置を提供する。【解決手段】  本発明の車載装置１１０は、入力された発話音声を音声信号に変換し、変換された音声信号を出力する音声入力部３１０と、音声入力部３１０から出力された音声信号に基づき音声認識を行う音声認識モジュール２２０と、音声認識機能を提供可能なスマートフォン１３０、１４０を接続可能な接続部と、複数の音声認識機能の性能要求を反映した優先度を設定する優先度設定部と、優先度に従い音声入力部３１０のＡＤＣ３１４の動作条件を設定信号ＳＥＴを介して設定する動作条件設定部とを有する。【選択図】  図３
2019028160.tif 000002
【特許請求の範囲】
【請求項１】
発話音声を入力し、入力された発話音声を音声信号に変換し、変換された音声信号を出力する音声入力手段と、
前記音声入力手段から出力された音声信号に基づき音声認識を行う音声認識手段と、
音声認識機能を提供可能な情報端末を接続可能な接続手段と、
前記音声認識手段および前記情報端末の音声認識機能の性能要求を反映した優先度を設定する優先度設定手段と、
前記優先度に従い前記音声入力手段の動作条件を設定する動作条件設定手段と、
を有する電子装置。
【請求項２】
前記音声入力手段は、アナログ音声信号をデジタル音声信号に変換するアナログ／デジタル変換器を含み、
前記動作条件設定手段は、前記アナログ／デジタル変換器の動作条件を設定する、請求項１に記載の電子装置。
【請求項３】
前記音声認識機能の性能要求は、音声認識機能が起動されてから音声を認識するまでの時間である、請求項１に記載の電子装置。
【請求項４】
電子装置はさらに、電子装置の音声認識手段、または前記情報端末の音声認識機能を選択する選択手段を含み、
前記動作条件設定手段は、前記選択手段により選択された音声認識手段または音声認識機能に応じた動作条件を設定する、請求項１に記載の電子装置。
【請求項５】
電子装置はさらに、前記接続手段を介して情報端末が接続されたか否かを検出する検出手段を含み、
前記優先度設定手段は、前記検出手段の検出結果に基づき前記優先度を変更する、請求項１に記載の電子装置。
【請求項６】
請求項１ないし５いずれか１つに記載の電子装置と、前記電子装置に接続された１つまたは複数の情報端末とを含む情報端末システムであって、
前記情報端末は、前記電子装置から音声信号を受け取り、当該音声信号の音声認識結果を前記電子装置へ出力する、情報端末システム。
【発明の詳細な説明】
【技術分野】
【０００１】
本発明は、複数の情報端末を接続可能な電子装置に関し、特に、複数の情報端末の各音声認識機能を利用する方法に関する。
【背景技術】
【０００２】
近年、多機能型情報端末に代表されるスマートフォンの普及とともに音声認識機能の普及も進んでいる。また、スマートフォンと車載機との接続も可能となり、スマートフォンの音声認識機能を車載機で利用することも可能である。
【０００３】
特許文献１では、車載装置に複数のスマートフォンが接続されたとき、車載装置が、ユーザーの発話音声に含まれる特定のキーワードに基づきスマートフォンの音声認識機能を選択する方法を開示している。また、特許文献２では、車載端末と音声認識サーバとの間を中継する音声データ中継装置が、車載端末から音声データの入力が無いときにテスト用のデータを音声認識サーバに送り、その認識結果を用いて音声データの雑音処理などに使うパラメータを最適値に設定する方法を開示している。
【先行技術文献】
【特許文献】
【０００４】
【特許文献１】特開２０１６−１５１６０８号公報
【特許文献２】特開２０１３−００７７６４号公報
【発明の概要】
【発明が解決しようとする課題】
【０００５】
車載装置と複数のスマートフォンとの接続が可能になり、車載装置に組み込まれている音声認識機能およびスマートフォンの音声認識機能が共存する環境が発生する。スマートフォンによる音声認識機能は、通常、発話音声の音声データを音声認識サーバに送信し、音声認識サーバで認識処理を行い、その処理結果をスマートフォンで受け取る。音声認識サーバによる音声認識は、自然言語解析を行うため音声認識の汎用性が高い特徴がある。一方、車載装置に組み込まれた音声認識機能は、車載装置の機能に特化したキーワードまたはキーフレーズ等の定型句の音声認識に強い特徴がある。
【０００６】
車載装置にスマートフォンが接続された環境では、運転中、スマートフォンを所持した通話が禁止されるため、ユーザーの発話音声は、車載装置のマイクロフォンから取り込まれる。ユーザーは、例えば、ハンドルに取り付けられた選択キーを長押しまたは短押しすることで、車載装置の音声認識機能またはスマートフォンの音声認識機能のいずれかを選択することができる。
【０００７】
図７（Ａ）に、車載装置の音声入力部の内部構成を示す。音声入力部１０は、発話音声を入力し、これをアナログ音声信号に変換するマイクロフォン１２と、マイクロフォン１２から出力されたアナログ音声信号をデジタル音声信号に変換するアナログ／デジタル変換器（ＡＤＣ）１４と、変換されたデジタル音声信号に含まれるノイズを除去するノイズリダクション（ＮＲ）１６と、ＮＲ１６から出力されたデジタル音声信号を、選択キーにより選択された車載装置の音声認識エンジンまたはスマートフォンへ送信する送信制御部１８とを有する。
【０００８】
ここで、車載装置やスマートフォンの各音声認識機能は、それぞれ規格が異なり、それぞれの音声認識機能を利用する前に、各音声認識機能の規格（フォーマット）に合わせた動作条件（設定値）をＡＤＣ１４およびＮＲ１６に設定する必要がある。図７（Ｂ）に、車載装置と２つのスマートフォンＡ、Ｂの動作条件を設定するための設定項目と性能要求の一例を示す。設定項目は、例えば、ＡＤＣ１４のサンプリング周波数、量子化ビット数、モノラルまたはステレオの設定を含む。また、音声認識機能の性能要求は、音声認識機能の起動から音声認識を行うまでの音声認識開始時間、ＮＲ（ノイズリダクション）設定の有無を含む。もし、車載装置の音声認識機能を使用する場合には、ＡＤＣ１４のサンプリング周波数を８ｋＨＺまたは１６ｋＨＺ、量子化ビット数を１６ビット、音声信号をモノラルに設定する必要があり、ＮＲを有効に設定する必要がある。
【０００９】
従来の車載装置では、音声入力部１０のＡＤＣ１４およびＮＲ１６には、車載装置の音声認識機能の規格に合わせた動作条件が設定されている。音声入力部１０の動作条件を変更する場合、マイクロフォン１２の遅延時間が約１０ｍｓ、ＡＤＣ１４の設定の切り替えに要する時間が約６０ｍｓ、ＮＲの設定の切り替えに要する時間が約１０ｍｓであり、合計で約８０ｍｓを要する。ＡＤＣ１４の設定を切り替えた場合、バイアスが安定するためには一定時間が必要となり、この間、原則として発話音声を入力することができない。
【００１０】
各音声認識機能を利用するためには、それぞれの音声認識機能の性能要求（特に、音声認識開始時間）を満たす必要があるが、音声入力部１０の動作条件の設定変更に要する時間が、性能要求である音声認識開始時間を超えると、発話音声の先頭部分を音声認識することができない、または発話音声を誤認識してしまう、といった課題がある。
【００１１】
図７（Ｃ）は、性能要求が一番厳しいスマートフォンＡを利用するとき、音声認識を正確に行うことができない例を示している。時刻ｔ１において、ユーザーが選択キーによりスマートフォンＡの音声認識機能の選択／起動を指示すると、図示しない制御部は、ＡＤＣ１４の動作条件（設定値）を、スマートフォンＡの規格に一致するように切り替える。上記したように、音声入力部１０の設定変更に要する実時間は、時刻ｔ１から約８０ｍｓ経過後の時刻ｔ２である。一方、スマートフォンＡの音声認識開始時間は、音声認識機能が起動される時刻ｔ１から６０ｍｓ経過後の時刻ｔ３である。このため、発話音声の先頭の２０ｍｓに対応する部分を取り込むことができず、その先頭部分の音声認識をすることができなくなってしまい、結果として、発話音声を誤認識するおそれがある。
【００１２】
本発明は、このような従来の課題を解決するものであり、接続された情報端末が提供する音声認識機能を適切に利用することができる電子装置および情報端末システムを提供することを目的とする。
【課題を解決するための手段】
【００１３】
本発明に係る電子装置は、発話音声を入力し、入力された発話音声を音声信号に変換し、変換された音声信号を出力する音声入力手段と、前記音声入力手段から出力された音声信号に基づき音声認識を行う音声認識手段と、音声認識機能を提供可能な情報端末を接続可能な接続手段と、前記音声認識手段および前記情報端末の音声認識機能の性能要求を反映した優先度を設定する優先度設定手段と、前記優先度に従い前記音声入力手段の動作条件を設定する動作条件設定手段と、を有する。
【００１４】
好ましくは前記音声入力手段は、アナログ音声信号をデジタル音声信号に変換するアナログ／デジタル変換器を含み、前記動作条件設定手段は、前記アナログ／デジタル変換器の動作条件を設定する。好ましくは前記音声認識機能の性能要求は、音声認識機能が起動されてから音声を認識するまでの時間である。好ましくは電子装置はさらに、電子装置の音声認識手段、または前記情報端末の音声認識機能を選択する選択手段を含み、前記動作条件設定手段は、前記選択手段により選択された音声認識手段または音声認識機能に応じた動作条件を設定する。好ましくは電子装置はさらに、前記接続手段を介して情報端末が接続されたか否かを検出する検出手段を含み、前記優先度設定手段は、前記検出手段の検出結果に基づき前記優先度を変更する。
【００１５】
本発明に係る情報端末システムは、上記構成の電子装置と、前記電子装置に接続された１つまたは複数の情報端末とを含むものであって、前記情報端末は、前記電子装置から音声信号を受け取り、当該音声信号の音声認識結果を前記電子装置へ出力するものである。
【発明の効果】
【００１６】
本発明によれば、複数の音声認識機能を利用可能な環境において、複数の音声認識機能の性能要求を反映した優先度を設定し、当該優先度に従い音声入力手段の動作条件を設定するようにしたので、性能要求が厳しい音声認識機能を利用する場合にも当該性能要求を満足させた音声認識を行うことができる。
【図面の簡単な説明】
【００１７】
【図１】本発明の情報端末システムの全体構成を示す図である。
【図２】本発明の実施例に係る車載装置の構成を示すブロック図である。
【図３】本発明の実施例に係る車載装置の音声入力部の概略構成を示しブロック図である。
【図４】本発明の実施例に係る音声入力部の設定を行う設定プログラムの機能的な構成を示す図である。
【図５】本実施例の優先度設定部が保持する優先度テーブルの一例を示す図である。
【図６】本発明の実施例に係る車載装置の設定動作を説明するためのフローチャートである。
【図７】従来の車載装置の音声入力部と、スマートフォンの音声認識機能を使用するときの課題を説明する図である。
【発明を実施するための形態】
【００１８】
次に、本発明の実施の形態について図面を参照して詳細に説明する。本発明の実施の形態に係る電子装置は、例えば、車両に予め搭載された車載装置、あるいは車両に持ち込まれたものである。電子装置は、コンピュータ、電子処理装置、情報処理装置等であることができる。電子装置は、例えば、音声認識機能、外部機器と通信する機能、ナビゲーション機能、オーディオ・ビデオデータを再生する機能、テレビ・ラジオ放送を受信する機能等を備えることができる。
【００１９】
本発明の実施の形態に係る情報端末は、例えば、スマートフォン、携帯電話機、タブレット型端末、ラップトップ型端末であることができる。情報端末は、例えば、車内に持ち込まれたとき、車内の電子装置に無線または有線により接続され、電子装置と連携した動作を行う。情報端末は、音声認識機能を有し、情報端末が電子装置に接続されたとき、電子装置の音声認識機能および情報端末の音声認識機能が共存する環境が生成される。また、情報端末がナビゲーション機能、オーディオ・ビデオデータを再生する機能等を備えている場合には、電子装置は、情報端末のそれらの機能を利用することができる。
【実施例】
【００２０】
次に、本発明の実施例について説明する。図１は、複数のスマートフォン（情報端末）が車載装置（電子装置）に接続された情報端末システムを示している。情報端末システム１００は、車載装置１１０と、車載装置１１０に通信手段１２０を介して接続されたスマートフォン１３０、１４０とを含む。ここには、２つのスマートフォンが接続される例を示しているが、接続されるスマートフォンの数は任意である。本実施例の情報端末システム１００では、車載装置１１０に組み込まれた音声認識機能と、車載装置１１０に接続されたスマートフォン１３０、１４０の音声認識機能とが共存する環境において、ユーザーが選択する音声認識機能を適切に利用できるようにする。なお、スマートフォン１３０、１４０の音声認識機能は、スマートフォン自身の音声認識機能であってもよいし、あるいは、音声認識サーバ１５０、１６０と協働し、音声認識サーバ１５０、１６０により認識された結果を利用するものであってもよい。
【００２１】
図２は、車載装置１１０の内部構成を示すブロック図である。車載装置１００は、入力部２１０、音声認識モジュール２２０、接続部２３０、ナビゲーション部２４０、マルチメディア再生部２５０、音声出力部２６０、表示部２７０、記憶部２８０、および制御部２９０を含んで構成される。なお、この構成は一例であり、車載装置１１０は、他の構成であってもよい。
【００２２】
入力部２１０は、入力キーデバイス、リモコン、タッチパネルなどにより、ユーザーからの指示を受け取り、これを制御部２９０へ提供する。また、入力部２１０は、図３に示すように、車載装置１１０に組み込まれた音声認識モジュール２２０またはスマートフォン１３０、１４０が提供する音声認識機能を選択するための選択キー３００を含む。例えば、選択キー３００が短押されたとき、制御部２９０は、車載装置１１０の音声認識機能が選択されたものと判定し、選択キー３００が長押しされたとき、スマートフォンの音声認識機能が選択されたものと判定する。２つのスマートフォン１３０、１４０が接続されている場合には、例えば、選択キーが２度押しされたとき、スマートフォン１３０の音声認識機能が選択されたものと判定し、選択キーが長押しされたとき、スマートフォン１４０の音声認識機能が選択されたものと判定する。選択キー３００は、例えば、車両のステアリングに取り付けられたハードキーであってもよいし、タッチパネルに表示されるソフトキーであってもよい。
【００２３】
さらに入力部２１０は、運転者等の発話音声を入力するための音声入力部３１０を含む。音声入力部３１０は、発話音声を入力し、入力された発話音声のアナログ音声信号を出力するマイクロフォン３１２と、マイクロフォン３１２から出力されたアナログ音声信号をデジタル音声信号に変換するアナログ／デジタル変換器（ＡＤＣ）３１４と、デジタル音声信号のノイズを除去するノイズリダクション（ＮＲ）３１６と、デジタル音声信号を選択された音声認識機能へ送信する送信制御部３１８とを含む。
【００２４】
制御部２９０は、選択キー３００の操作に応答して選択された音声認識機能を判定し、判定結果に基づき選択信号ＳＥＬを送信制御部３１８へ提供する。送信制御部３１８は、選択信号ＳＥＬに従い、入力されたデジタル音声信号を、車載装置１１０に組み込まれた音声認識モジュール２２０、スマートフォン１３０、またはスマートフォン１４０へ送信する。また、制御部２９０は、後述するように、設定信号ＳＥＴによりＡＤＣ３１４およびＮＲ３１６の動作条件を設定する。
【００２５】
音声認識モジュール２２０は、音声入力部３１０から出力されたデジタル音声信号を受け取り、これの音声認識を行う。例えば、発話音声に含まれる五十音やアルファベット等の認識を行う。この認識結果は、制御部２９０へ提供され、制御部２９０は、認識結果に応じた処理を実行する。
【００２６】
接続部２３０は、車載装置１１０と外部機器との接続を可能にし、例えば、図１に示すような通信手段１２０によりスマートフォン１３０、１４０を接続する。接続部２３０は、例えば、近距離無線通信、無線ＬＡＮ、その他の通信手段、あるいは有線接続により、１つまたは複数のスマートフォン接続をする。例えば、近距離無線通信により２つのスマートフォン１３０、１４０を同時に接続する場合には、２つの通信チャンネルを用い、３つ以上のスマートフォンを同時に接続する場合には、３つ以上の通信チャンネルを用いる。
【００２７】
ナビゲーション部２４０は、ＧＰＳ衛星から送信されるＧＰＳ信号等に基づき自車位置を算出し、自車位置周辺の地図を案内する。マルチメディア再生部２５０は、ＤＶＤ、ＣＤ、ブルーレイディスク等の記録媒体に記録されたビデオデータ、オーディオデータを再生する。再生されたビデオデータは表示部２７０に表示され、オーディオデータは音声出力部２６０から出力される。
【００２８】
音声出力部２６０は、マルチメディア再生部２５０により再生されたオーディオデータ以外に、接続されたスマートフォン１３０、１４０から接続部２３０を介して受け取ったオーディオデータを出力することが可能である。表示部２７０は、マルチメディア再生部２５０により再生されたビデオデータ以外に、接続された接続されたスマートフォン１３０、１４０から接続部２３０を介して受け取ったビデオデータを出力することが可能である。
【００２９】
記憶部２８０は、制御部２９０が実行するアプリケーションソフトウエアやプログラム、ナビゲーション部２４０やマルチメディア再生部２５０のための種々のデータを記憶することができる。
【００３０】
制御部２９０は、好ましい態様では、ＲＯＭ、ＲＡＭなどを含むマイクロコントローラ等を含み、ＲＯＭまたはＲＡＭは、車載装置１１０の各部の動作を制御するための種々のプログラムを実行することができる。本実施例では、制御部２９０は、接続されたスマートフォンの音声認識機能の性能要求に合致するように音声入力部の設定を行うための設定プログラム４００を実行する。設定プログラム４００の詳細は後述する。
【００３１】
車載装置１１０に接続されるスマートフォンについて説明する。スマートフォンは、典型的に、通話機能、通信機能、音声認識機能、表示部、音声出力部、記憶部、制御部等を含んで構成される。スマートフォンは、図１に示すように、通信手段１２０を介して車載装置１１０と接続され、車載装置１１０と連携する。上記したように、選択キー３００によってスマートフォンの音声認識機能が選択されたとき、スマートフォンは、送信制御部３１８から送信されたデジタル音声信号を受け取り、音声認識機能を実行する。スマートフォンによる音声認識は、それ自身の音声認識機能を使用するものであってもよいし、図１に示すような音声認識サーバ１５０、１６０を利用するものであってもよい。スマートフォンにより音声認識された結果は、通信手段１２０を介して車載装置１１０へ送信される。
【００３２】
次に、車載装置１１０の制御部２９０により実行される設定プログラム４００について説明する。図４は、本実施例の設定プログラム４００の機能的な構成を示す図であり、設定プログラム４００は、優先度設定部４１０、デバイス接続検出部４２０、デバイス識別部４３０、動作条件設定部４４０、優先度変更部４５０を含む。
【００３３】
優先度設定部４００は、各音声認識機能の性能要件（音声認識機能が起動されてから音声認識を行うまでの音声認識開始時間）を基に音声認識機能の規格に合わせた動作条件を設定するときの優先度または優先順位を定義し、これを保持する。好ましくは、優先度は、音声認識機能の性能要件の厳しいものほど、優先度が高くなるような設定を行う。図７の例で言えば、音声認識開始時間が一番短いスマートフォンＡの音声認識機能の優先度が最も高く、次に、スマートフォンＢ、車載装置の順序である。優先度設定部４００は、ユーザー入力によって設定するようにしてもよいし、あるいは、音声認識機能の性能要求（特に、音声認識開始時間）に関する情報を取得することができるのであれば、自動的に優先度を設定するようにしてもよい。あるいは、スマートフォンの機種またはアプリケーションに関連付けされた性能要求に関する情報を保持しておき、スマートフォンが接続されたときに、スマートフォンを識別することで音声認識機能の優先度を自動的に設定するようにしてもよい。優先度設定部４００は、例えば、図４に示すような、デバイスの識別情報と優先度との関係を規定した優先度テーブルを用意し、これを記憶部２８０に格納する。
【００３４】
デバイス接続検出部４２０は、車載装置１１０の接続部２３０にスマートフォンが接続されているか否かを検出する。デバイス識別部４３０は、デバイス接続検出部４２０によりスマートフォンの接続が検出されたとき、検出されたデバイスを識別する。デバイス識別部４３０は、例えば、デバイスに固有の情報またはデバイスの機種名などを識別する。
【００３５】
動作条件設定部４４０は、設定プログラム４００が起動されたとき、優先度設定部４１０に設定された優先度に従い、音声入力部３１０のＡＤＣ３１４やＮＲ３１６の動作条件を設定する。設定プログラム４００は、ＡＣＣ電源オン時、車載装置１１０の電源投下時、初期化時等に起動される。また、動作条件設定部４４０は、動作中に、ユーザーが選択キー３００を介して選択される音声認識機能を変更させたとき、変更された音声認識機能に適合する動作条件を音声入力部３１０に設定する。動作条件は、具体的には、図７に示す設定項目であり、ＡＤＣ３１４のサンプリング周波数、量子化ビット数、モノラルまたはステレオの設定、ＮＲ３１６のオン／オフの設定である。ＡＤＣ３１４およびＮＲ３１６への設定は、制御部２９０からの設定信号ＳＥＴを介して行われる（図３を参照）。優先度変更部４５０は、デバイス接続検出部４２０の検出結果に基づきデバイスの接続状況に応じて優先度設定部４１０により設定された優先度を変更する。
【００３６】
次に、本実施例の車載装置の動作を図６のフローチャートを参照して説明する。なお、以下の説明は、車載装置１１０にスマートフォン１３０、１４０が接続される場合を想定したものである。また、車載装置１１０に組み込まれた音声認識機能を「ＳＲ機能１」、スマートフォン１３０による音声認識機能を「ＳＲ機能２」、スマートフォン１４０による音声認識機能を「ＳＲ機能３」とし、ＳＲ機能２、ＳＲ機能３は、図７に示すスマートフォンＡ、Ｂの音声認識機能にそれぞれ対応するものとする。
【００３７】
設定プログラム４００は、好ましくは、車載装置１１０が起動されたとき、またはＡＣＣ電源がオンされたときに実行される。まず、デバイス接続検出部４２０により、車載装置２００にスマートフォン１３０、１４０が接続されているか否かが検出される（Ｓ１００）。スマートフォンの接続が検出されると、デバイス識別部４３０は、接続されたスマートフォン１３０、１４０の識別を行う。
【００３８】
次に、動作条件設定部４４０は、優先度設定部４１０により設定された優先度（図４に示す優先度テーブル）に従い、スマートフォン１３０のＳＲ機能２が利用できるか否かを判定する（Ｓ１０２）。１つの例では、動作条件設定部４４０は、スマートフォン１３０が車載装置１１０と連携するアプリケーションを起動させているか否かによりＳＲ機能２が利用できるか否かを判定する。当該アプリケーションが起動されていれば、スマートフォン１３０の音声認識機能を起動させ、音声認識機能が利用することが可能である。他方、アプリケーションが起動されていなければ、車載装置１１０からスマートフォン１３０への音声認識機能を起動させる命令等は、スマートフォン１３０において有効に処理されず、それ故、ＳＲ機能２を利用することができない。上記以外にも、動作条件設定部４４０は、スマートフォン１３０において音声認識機能を利用する／利用しないの設定が行われている場合には、その設定情報を取得して、ＳＲ機能２が利用可能か否かを判定するようにしてもよい。
【００３９】
ＳＲ機能２が利用可能であれば、動作条件設定部４４０は、ＳＲ機能２の動作条件を音声入力部３１０に設定する（Ｓ１０４）。図７の例で言えば、動作条件設定部４４０は、サンプリング周波数として２４ｋＨｚ、量子化ビット数として１６ビット、モノラル設定を設定信号ＳＥＴを介してＡＤＣ３１４に設定し、ＮＲ有効をＮＲ３１６に設定する。
【００４０】
性能要件が最も厳しい動作条件を音声入力部３１０に設定するため、ユーザーが選択キー３００を介してＳＲ機能２を選択しても、音声入力部３１０の設定変更が不要であり、ＳＲ機能２の性能要求である音声認識開始時間（６０ｍｓ）を満たすことができる。仮に、ユーザーがＳＲ機能３を選択しても、この音声認識開始時間は７０ｍｓであり、音声入力部３１０の設定切り替えに要する時間は７０ｍｓ（ＮＲ設定が無効であるため）であるため、ＳＲ３の性能要求を満たすことができる。また、ＳＲ機能１が選択された場合にも、音声認識開始時間は３００ｍｓであり、音声入力部３１０の設定切り替えに要する時間は８０ｍｓであるため、ＳＲ１の性能要求は満たされる。
【００４１】
ＳＲ機能２が利用不可と判定された場合、動作条件設定部４４０は、優先度テーブルに従い、次に優先度が高いＳＲ機能３が利用可能か否かを判定する（Ｓ１０６）。この判定は、ＳＲ機能２のときと同様に行われる。ＳＲ機能３が利用可能であれば、動作条件設定部４４０は、ＳＲ機能３の動作条件を規定する設定値を音声入力部３１０に設定する（Ｓ１０８）。この例で言えば、動作条件設定部４４０は、サンプリング周波数として１６ｋＨｚ、量子化ビット数として１６ビット、モノラル設定を設定信号ＳＥＴを介してＡＤＣ３１４に設定し、ＮＲ無効をＮＲ３１６に設定する。
【００４２】
仮に、ユーザーが選択キー３００を介してＳＲ機能３を選択した場合、音声入力部３１０には、ＳＲ機能３の動作条件が設定されているため、音声入力部３１０の設定変更は不要であり、ＳＲ機能３の性能要求は満たされる。また、ＳＲ機能１が選択された場合にも、音声入力部３１０の設定切り替えに要する時間が８０ｍｓであり、これは音声認識開始時間３００ｍｓよりも短いため、ＳＲ機能１の性能要求は満たされる。
【００４３】
次に、デバイス接続検出部４２０によりスマートフォン１３０、１４０の接続が検出されない場合、または、スマートフォン１３０、１４０が接続されているが、ＳＲ機能２、ＳＲ機能３が利用可能出ない場合、動作条件設定部４４０は、車載装置１１０に組み込まれたＳＲ機能１（音声認識モジュール２２０）が有効か否かを判定する（Ｓ１１０）。車載装置１１０は、ユーザーの指示に従い、音声認識モジュール２２０のオン／オフを設定することが可能であり、動作条件設定部４４０は、このオン／オフの設定に基づきＳＲ機能１が有効か否かを判定する。
【００４４】
ＳＲ機能１が有効であれば、動作条件設定部４４０は、ＳＲ機能１の動作条件を規定する設定値を音声入力部３１０に設定する（Ｓ１１２）。この例で言えば、動作条件設定部４４０は、サンプリング周波数として８ｋＨｚまたは１６ｋＨｚ、量子化ビット数として１６ビット、モノラル設定を設定信号ＳＥＴを介してＡＤＣ３１４に設定し、ＮＲ有効をＮＲ３１６に設定する。
【００４５】
ＳＲ機能１が有効でない場合、すなわち、ＳＲ機能１ないしＳＲ機能３の全てが利用可能でない場合、動作条件設定部４４０は、設定された優先度（優先度テーブル）を参照し（Ｓ１１４）、優先度が最も高いＳＲ機能２の動作条件を音声入力部３１０に設定する（Ｓ１１６）。
【００４６】
次に、優先度変更部４５０は、デバイス接続検出部４２０の検出結果に基づき、接続状況に応じて優先度の設定を変更する（Ｓ１１８）。例えば、図５（Ａ）に示す優先度に従い設定を行い、スマートフォン１３０の接続が検出されなければ、優先度変更部４５０は、図５（Ｂ）に示すように音声認識機能の優先度を変更する。こうしてデバイス接続検出部４２０により検出されるデバイスに変更があった場合に優先度を変更し、例えば、スマートフォン１３０が再接続された場合には、図５（Ａ）に示すような優先度に変更される。図６に示すＳ１００からＳ１１８までの処理が車載装置１１０の動作中に繰り返され、ＡＣＣ電源がオフされると（Ｓ１２０）、処理が終了される。
【００４７】
このように本実施例によれば、音声認識機能の性能要件の厳しいものほど優先度が高くなるように設定し、この優先度に応じて音声入力部の動作条件を設定するようにしたので、車載装置が起動されたとき、性能要件の厳しい音声認識機能を使用することができる。従来の場合、車載装置１１０に組み込まれた音声認識モジュール２２０の動作条件を音声入力部３１０に設定しておき、ユーザーが性能要件の厳しい音声認識機能を選択するとき、その動作条件の設定を変更するが、動作条件の設定変更に要する実時間が音声認識機能により求められている音声認識開始時間よりも長くなり、音声認識を正確に行えないことがある。これに対し、本実施例では、性能要件が厳しい優先度に従い音声認識機能の動作条件を設定するため、ユーザーが性能要求が厳しい音声認識機能を選択しても、これに対処することができる。
【００４８】
上記実施例では、車載装置に接続される情報端末としてスマートフォンを例示したが、本発明は、スマートフォンに限定されず、車載装置と協働することができる音声認識機能を提供可能な他の端末装置であってもよい。
【００４９】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００５０】
１００：情報端末システム                １１０：車載装置
１２０：通信手段                        １３０、１４０：スマートフォン
１５０、１６０：音声認識サーバ          ３００：選択キー
３１０：音声入力部                      ３１２：マイクロフォン
３１４：アナログ／デジタル変換器        ３１６：ノイズリダクション
３１８：送信制御部
【図１】
2019028160.tif 000003
【図２】
2019028160.tif 000004
【図３】
2019028160.tif 000005
【図４】
2019028160.tif 000006
【図５】
2019028160.tif 000007
【図６】
2019028160.tif 000008
【図７】
2019028160.tif 000009